(57)【要約】【課題】混合出力と分波出力を選択可能とする。【解決手段】入力端子と，上記混合信号を増幅する増幅手段と，該増幅手段において増幅された混合信号を通過させる第１の伝送経路と，上記増幅手段において増幅された混合信号をそれぞれ異なる複数の周波数帯の信号に分波する分波手段を備え，該分配手段の入力部と，複数の出力部のうち，所定の周波数帯の信号を出力する出力部とからなる第２の伝送経路と，前記増幅手段に入力側を接続されて，前記第１の伝送経路と前記第２の伝送経路とを選択的に切換可能とし，前記第１の伝送経路若しくは前記第２の伝送経路を通過した信号を出力側に出力する選択手段と，前記分波手段の分波数と同じ数だけ設けられた出力端子と，を具備し，前記選択手段の出力側は，前記出力端子の内の第１の出力端子と接続され，前器分配手段の残りの出力部には，前記第１の出力端子を除く他の出力端子がそれぞれ接続される。【選択図】  図６
2006253833.tif 000002
【特許請求の範囲】
【請求項１】
それぞれ異なる周波数の信号の混合信号を増幅する増幅器において，
入力端子と，上記混合信号を増幅する増幅手段と，該増幅手段において増幅された混合信号を通過させる第１の伝送経路と，上記増幅手段において増幅された混合信号をそれぞれ異なる複数の周波数帯の信号に分波する分波手段を備え，該分配手段の入力部と，複数の出力部のうち，所定の周波数帯の信号を出力する出力部とからなる第２の伝送経路と，前記増幅手段に入力側を接続されて，前記第１の伝送経路と前記第２の伝送経路とを選択的に切換可能とし，前記第１の伝送経路若しくは前記第２の伝送経路を通過した信号を出力側に出力する選択手段と，前記分波手段の分波数と同じ数だけ設けられた出力端子と，を具備し，
前記選択手段の出力側は，前記出力端子の内の第１の出力端子と接続され，前器分配手段の前記第２の伝送経路の出力部を除く出力部には，前記第１の出力端子を除く他の出力端子がそれぞれ接続されたことを特徴としたテレビ受信用増幅器。
【請求項２】
前記入力端子と前記増幅手段の入力側との間に設けられた，前記入力端子から入力された前記混合信号を通過し直流電源を阻止するコンデンサーと，直流電源を通過し前記混合信号を阻止するチョークコイルからなる電源重畳回路と，前記増幅手段の出力側と前記選択手段の入力側との間に設けられた，前記増幅手段において所定レベルまで増幅された混合信号を通過し直流電源を阻止するコンデンサーと，直流電源を通過し前記増幅手段から出力された混合信号を阻止するチョークコイルからなる電源分離回路と，から成る電流通過手段を備えると共に，前記第１の伝送経路と前記第２の伝送経路は，それぞれ所定の周波数帯のテレビ信号を通過すると共に直流電源を通過可能とすることによって，前記選択手段によって選択された伝送線路にかかわらず，端末側から同軸ケーブルを介して前記第１の出力端子に供給される直流電源を，入力端子へ電流通過可能に構成したことを特徴とした請求項１に記載のテレビ受信用増幅器。
【請求項３】
前記入力端子と前記増幅手段の入力側との間に設けられた，前記入力端子から入力された前記混合信号を通過し直流電源を阻止するコンデンサーと，直流電源を通過し前記混合信号を阻止するチョークコイルからなる電源重畳回路と，前記増幅手段の出力側と前期選択手段の入力側との間に設けられた，前記増幅手段において所定レベルまで増幅された混合信号を通過し直流電源を阻止するコンデンサーと，直流電源を通過し前記増幅手段から出力された混合信号を阻止するチョークコイルからなる電源分離回路と，から成る電流通過手段を備えると共に，前記第１の伝送経路と前記第２の伝送経路は，それぞれ所定の周波数帯のテレビ信号を通過すると共に直流電源を通過可能とし，第１の伝送経路を選択した時は，端末側から同軸ケーブルを介して前記第１の出力端子に供給される直流電源を入力端子へ電流通過可能に，第２の伝送経路を選択した時は，端末側から同軸ケーブルを介して前記第１の出力端子以外の他の出力端子の内の少なくとも１つの出力端子から入力端子へ電流通過可能に構成したことを特徴とした請求項１に記載のテレビ受信用増幅器。
【請求項４】
前記混合信号は第１の周波数帯の信号と，該第１の周波数帯より周波数の高い周波数帯である第２の周波数帯の信号とからなり，前記分波手段は前記第１の周波数帯の信号と前記第２の周波数帯の信号との２つの異なる周波数帯の信号に分波するように構成され，前記第１の出力端子は，前記第１の伝送経路を介して前記混合信号を出力するか，前記第２の伝送経路を介して前記第２の周波数帯の信号を出力するかを前記選択手段によって選択可能とし，前記第１の出力端子から出力される信号が第２の周波数帯となるように前記選択手段を選択した時は，前記他の出力端子が前記第１の周波数帯を出力するように構成したことを特徴とした請求項１又は請求項２に記載のテレビ受信用増幅器。
【請求項５】
前記混合信号は第１の周波数帯の信号と，該第１の周波数帯より周波数の高い周波数帯である第２の周波数帯の信号とからなり，前記分波手段は前記第１の周波数帯の信号と前記第２の周波数帯の信号との２つの異なる周波数帯の信号に分波するように構成され，前記第１の出力端子は，前記第１の伝送経路を介して前記混合信号を出力するか，前記第２の伝送経路を介して前記第１の周波数帯の信号を出力するかを前記選択手段によって選択可能とし，前記第１の出力端子から出力される信号が第１の周波数帯となるように前記選択手段を選択した時は，前記他の出力端子が前記第２の周波数帯を出力するように構成したことを特徴とした請求項１又は請求項３に記載のテレビ受信用増幅器。
【請求項６】
前記第１の周波数帯の信号は，少なくとも，地上テレビ放送のＵＨＦ帯の信号であることを特徴とした請求項４又は請求項５に記載のテレビ受信用増幅器。
【請求項７】
前記電源重畳手段と前記電源分離手段との間に切替手段を備え，端末側から供給される直流電源を，入力端子から出力するか出力しないかを選択的に切換可能にしたことを特徴とした請求項２乃至請求項６に記載のテレビ受信用増幅器。
【請求項８】
前記電源分離回路と前記選択手段との接続点から，前記増幅手段へ直流電源を供給するように構成し，端末側から供給される直流電源で動作するように構成されたことを特徴とした請求項２乃至請求項７に記載のテレビ受信用増幅器。
【請求項９】
ＡＣプラグと，該ＡＣプラグを介して供給される商用電源から直流電源を生成する直流電源生成手段と，を備え，
少なくとも，前記増幅手段は前記直流電源生成手段において生成された直流電源で動作するように構成したことを特徴とした請求項１乃至請求項７に記載のテレビ受信用増幅器。
【請求項１０】
ＡＣプラグと，該ＡＣプラグを介して供給される商用電源から直流電源を生成する直流電源生成手段と，入力端子と増幅手段との間に設けられ，前記直流電源生成手段において生成された直流電源を通過し，前記混合信号を阻止するチークコイルと，前記混合信号を通過し，前記直流電源を阻止するコンデンサーとから成る電源重畳手段と，を備え，
前記直流電源生成手段は，少なくとも，前記増幅手段と，前記電源重畳手段を介して入力端子から該入力端子に接続された同軸ケーブルに，直流電源を供給するように構成したことを特徴とした請求項１に記載のテレビ受信用増幅装置。
【請求項１１】
前記直流電源生成手段と前記電源重畳手段との間に切替手段を備え，前記直流電源を入力端子から出力するか出力しないかを選択的に切換可能にしたことを特徴とした請求項１０に記載のテレビ受信用増幅器。
【発明の詳細な説明】
【技術分野】
【０００１】
本発明は，主にテレビ受信用に利用されるテレビ受信用増幅器に関し，詳しくはそのテレビ受信用増幅器の回路構成に関する。
【背景技術】
【０００２】
従来の増幅器は，それぞれ異なる周波数帯の複数の信号の混合信号を入力して，所定レベルまで増幅する増幅手段と，この増幅部に接続されて，１つの入力側とこの入力側に切換接続される２つの出力側を有する第１の切換手段と，この第１の切換手段の第１の出力側に供給された前記混合信号をそれぞれ異なる周波数帯の信号に分波する分波手段と，第１の切換手段の第２の出力側に供給された前記混合信号を前記分波数と同数に分配する分波手段と，前記分波数と同数設けられそれぞれ第１及び第２の入力側とこれら入力側に切換接続される１つの出力側を有する複数の切換手段と，これら複数の切換手段の出力側にそれぞれ接続された複数の出力部とを具備し，前記複数の切換手段の各第１の入力側には前記分波手段の各第２の入力側には前記分配手段の各分配出力が供給され，第１の切換手段及び前記複数の切換手段が連動して切り換えられるように構成されている。
（例えば，特許文献１参照）
【０００３】
【特許文献１】実用新案  第２６０１２１９号公報
【発明の開示】
【発明が解決しようとする課題】
【０００４】
しかし，近年，従来の地上放送に加えて，ＢＳ放送やＣＳ放送といった衛星からの電波を受信した信号を，一本の同軸ケーブルで宅内に引き込むシステムが提案されており，この場合は例えばＶＨＦ帯，ＵＨＦ帯，ＢＳ・１１０°ＣＳ−ＩＦ帯と順に周波数配列させて混合信号として引き込み，各テレビ端子にテレビやチューナーを設置することによって全ての放送を楽しむことが考えられる。
このようなシステムにおいて，テレビやチューナーは少なくともＵＨＦ入力端子とＢＳ・１１０°ＣＳ−ＩＦ入力端子が備えられている場合があり，信号を一本の同軸ケーブル引き込んだ場合，分波器を必要とする。
従来の増幅器によれば，１台の機器でありながら，分配出力又は分波出力を切り換えて使うことができるので，各分波出力を必要とする機器がそれぞれ１台ずつあるような場合にも，それぞれ複数台あるような場合でも対応することができるといった利点があった。
ところがこのような受信システムを考える場合，伝送する周波数帯は，近年放送が開始された２．６ＧＨｚ帯の電波を使う衛星ディジタル放送までを受信して伝送しようとすると，２．６ＧＨｚ帯までの広帯域に亘って伝送する必要があるので，引込み線が長くなったり，分配器を多くしようとしたりすることによって減衰量が大きくなり，その減衰量を補償するための増幅器が必要に成ってくる場合が有り，従来例に示す増幅器のように，混合信号を分配回路を介して出力する回路構成ではレベル補償用としては使用できなかった。
また，スイッチを３つ備えた実施にあっては，夫々の目的に合わせてスイッチ操作を行う必要があり，この連動させての操作が複雑になって，操作ミスを生じる恐れがあった。更にＰＩＮダイオードで切換回路を構成した実施例にあっては回路構成が複雑になるといった問題があった。
そこで本願においては，こうした問題点を解決するためになされたものであり，
その目的は，異なる周波数が混合された超広帯域の周波数帯のテレビ信号を受信するシステムに適したレベル補償用の増幅器を提供することにある。
他の目的は，異なる周波数の信号の分波出力を必要とする機器に適した増幅装置を提供することにある。
他の目的は，異なる周波数の信号の混合信号用であって，レベル補償用と，分波出力生じさせる分波出力用と，の２様の使用が選択的に切換可能な増幅器を提供することにある。
【課題を解決するための手段】
【０００５】
上記課題を解決するために，請求項１の発明は，それぞれ異なる周波数の信号の混合信号を増幅する増幅器において，
入力端子と，上記混合信号を増幅する増幅手段と，該増幅手段において増幅された混合信号を通過させる第１の伝送経路と，上記増幅手段において増幅された混合信号をそれぞれ異なる複数の周波数帯の信号に分波する分波手段を備え，該分配手段の入力部と，複数の出力部のうち，所定の周波数帯の信号を出力する出力部とからなる第２の伝送経路と，前記増幅手段に入力側を接続されて，前記第１の伝送経路と前記第２の伝送経路とを選択的に切換可能とし，前記第１の伝送経路若しくは前記第２の伝送経路を通過した信号を出力側に出力する選択手段と，前記分波手段の分波数と同じ数だけ設けられた出力端子と，を具備し，
前記選択手段の出力側は，前記出力端子の内の第１の出力端子と接続され，前器分配手段の前記第２の伝送経路の出力部を除く出力部には，前記第１の出力端子を除く他の出力端子がそれぞれ接続される。
【０００６】
請求項２の発明は，請求項１に記載のテレビ受信用増幅器において，前記入力端子と前記増幅手段の入力側との間に設けられた，前記入力端子から入力された前記混合信号を通過し直流電源を阻止するコンデンサーと，直流電源を通過し前記混合信号を阻止するチョークコイルからなる電源重畳回路と，前記増幅手段の出力側と前記選択手段の入力側との間に設けられた，前記増幅手段において所定レベルまで増幅された混合信号を通過し直流電源を阻止するコンデンサーと，直流電源を通過し前記増幅手段から出力された混合信号を阻止するチョークコイルからなる電源分離回路と，から成る電流通過手段を備えると共に，前記第１の伝送経路と前記第２の伝送経路は，それぞれ所定の周波数帯のテレビ信号を通過すると共に直流電源を通過可能とすることによって，選択された伝送線路にかかわらず，端末側から同軸ケーブルを介して前記第１の出力端子に供給される直流電源を，入力端子へ電流通過可能に構成。
【０００７】
請求項３の発明は，請求項１に記載のテレビ受信用増幅器において，前記入力端子と前記増幅手段の入力側との間に設けられた，前記入力端子から入力された前記混合信号を通過し直流電源を阻止するコンデンサーと，直流電源を通過し前記混合信号を阻止するチョークコイルからなる電源重畳回路と，前記増幅手段の出力側と前期選択手段の入力側との間に設けられた，前記増幅手段において所定レベルまで増幅された混合信号を通過し直流電源を阻止するコンデンサーと，直流電源を通過し前記増幅手段から出力された混合信号を阻止するチョークコイルからなる電源分離回路と，から成る電流通過手段を備えると共に，前記第１の伝送経路と前記第２の伝送経路は，それぞれ所定の周波数帯のテレビ信号を通過すると共に直流電源を通過可能とし，第１の伝送経路を選択した時は，端末側から同軸ケーブルを介して前記第１の出力端子に供給される直流電源を入力端子へ電流通過可能に，第２の伝送経路を選択した時は，端末側から同軸ケーブルを介して前記第１の出力端子以外の他の出力端子の内の少なくとも１つの出力端子から入力端子へ電流通過可能に構成した。
【０００８】
請求項４の発明は，請求項１又は請求項２に記載のテレビ受信用増幅器において，前記混合信号は第１の周波数帯の信号と，該第１の周波数帯より周波数の高い周波数帯である第２の周波数帯の信号とからなり，前記分波手段は前記第１の周波数帯の信号と前記第２の周波数帯の信号との２つの異なる周波数帯の信号に分波するように構成され，前記第１の出力端子は，前記第１の伝送経路を介して前記混合信号を出力するか，前記第２の伝送経路を介して前記第２の周波数帯の信号を出力するかを前記選択手段によって選択可能とし，前記第１の出力端子から出力される信号が第２の周波数帯となるように前記選択手段を選択した時は，前記他の出力端子が前記第１の周波数帯を出力するように構成したことを特徴とした。
【０００９】
請求項５の発明は，請求項１又は請求項３に記載のテレビ受信用増幅器において，前記混合信号は第１の周波数帯の信号と，該第１の周波数帯より周波数の高い周波数帯である第２の周波数帯の信号とからなり，前記分波手段は前記第１の周波数帯の信号と前記第２の周波数帯の信号との２つの異なる周波数帯の信号に分波するように構成され，前記第１の出力端子は，前記第１の伝送経路を介して前記混合信号を出力するか，前記第２の伝送経路を介して前記第１の周波数帯の信号を出力するかを前記選択手段によって選択可能とし，前記第１の出力端子から出力される信号が第１の周波数帯となるように前記選択手段を選択した時は，前記他の出力端子が前記第２の周波数帯を出力するように構成したことを特徴とした。
【００１０】
請求項６の発明は，請求項４又は請求項５に記載のテレビ受信用増幅器において，前記第１の周波数帯の信号は，少なくとも，地上テレビ放送のＵＨＦ帯の信号である用に構成される。
【００１１】
請求項７の発明は，請求項２乃至請求項６に記載のテレビ受信用増幅器において，前記電源重畳手段と前記電源分離手段との間に切替手段を備え，端末側から供給される直流電源を，入力端子から出力するか出力しないかを選択的に切換可能にした。
【００１２】
請求項８の発明は，請求項２乃至請求項７に記載のテレビ受信用増幅器において，前記電源分離回路と前記選択手段との接続点から，前記増幅手段へ直流電源を供給するように構成し，端末側から供給される直流電源で動作するように構成した。
【００１３】
請求項９の発明は，請求項１乃至請求項７に記載のテレビ受信用増幅器ＡＣプラグと，該ＡＣプラグを介して供給される商用電源から直流電源を生成する直流電源生成手段と，を備え，
少なくとも，前記増幅手段は前記直流電源生成手段において生成された直流電源で動作するように構成した。
【００１４】
請求項1０の発明は，請求項１に記載のテレビ受信用増幅装置において，ＡＣプラグと，該ＡＣプラグを介して供給される商用電源から直流電源を生成する直流電源生成手段と，入力端子と増幅手段との間に設けられ，前記直流電源生成手段において生成された直流電源を通過し，前記混合信号を阻止するチークコイルと，前記混合信号を通過し，前記直流電源を阻止するコンデンサーとから成る電源重畳手段と，を備え，
前記直流電源生成手段は，少なくとも，前記増幅手段と，前記電源重畳手段を介して入力端子から該入力端子に接続された同軸ケーブルに，直流電源を供給するように構成した。
【００１５】
請求項１１の発明は，請求項１０に記載のテレビ受信用増幅器は，前記直流電源生成手段と前記電源重畳手段との間に切替手段を備え，前記直流電源を入力端子から出力するか出力しないかを選択的に切換可能にした。
【発明の効果】
【００１６】
請求項１の発明によれば，それぞれ異なる周波数の信号の混合信号を増幅する増幅器において，
入力端子と，上記混合信号を増幅する増幅手段と，該増幅手段において増幅された混合信号を通過させる第１の伝送経路と，上記増幅手段において増幅された混合信号をそれぞれ異なる複数の周波数帯の信号に分波する分波手段を備え，該分配手段の入力部と，複数の出力部のうち，所定の周波数帯の信号を出力する出力部とからなる第２の伝送経路と，前記増幅手段に入力側を接続されて，前記第１の伝送経路と前記第２の伝送経路とを選択的に切換可能とし，前記第１の伝送経路若しくは前記第２の伝送経路を通過した信号を出力側に出力する選択手段と，前記分波手段の分波数と同じ数だけ設けられた出力端子と，を具備し，
前記選択手段の出力側は，前記出力端子の内の第１の出力端子と接続され，前器分配手段の前記第２の伝送経路の出力部を除く出力部には，前記第１の出力端子を除く他の出力端子がそれぞれ接続されるように構成したので，
複数のアンテナにおいて受信した，異なる周波数帯の信号を，一本のケーブルで引き込むような場合に適した増幅器であって，長い引き込み線を有する受信システムや，複数の端末においてテレビを見るためにテレビ信号を多数に分配するような場合に，超広帯域に亘る周波数帯のテレビ信号を伝送することによって生じる伝送損失や，レベル差の発生を補償するためのレベル補償用の増幅器として使用できるし，テレビを１つの端末から楽しむような簡単なシステムにおいては，１つの選択手段を操作するだけの簡単な操作で，余分な機材を必要とせずに分波出力で出力可能な増幅器としても使用できるテレビ受信用増幅器を提供できる。
【００１７】
請求項２，３の発明によれば，請求項１に記載のテレビ受信用増幅器において，前記入力端子と前記増幅手段の入力側との間に設けられた，前記入力端子から入力された前記混合信号を通過し直流電源を阻止するコンデンサーと，直流電源を通過し前記混合信号を阻止するチョークコイルからなる電源重畳回路と，前記増幅手段の出力側と前記選択手段の入力側との間に設けられた，前記増幅手段において所定レベルまで増幅された混合信号を通過し直流電源を阻止するコンデンサーと，直流電源を通過し前記増幅手段から出力された混合信号を阻止するチョークコイルからなる電源分離回路と，から成る電流通過手段を備えると共に，前記第１の伝送経路と前記第２の伝送経路は，それぞれ所定の周波数帯のテレビ信号を通過すると共に直流電源を通過可能とすることによって，選択された伝送線路にかかわらず，端末側から同軸ケーブルを介して前記第１の出力端子に供給される直流電源を，入力端子へ電流通過可能に構成しするか，第１の伝送経路を選択した時は，端末側から同軸ケーブルを介して前記第１の出力端子に供給される直流電源を，入力端子へ電流通過可能に，第２の伝送経路を選択した時は，端末側から同軸ケーブルを介して前記第１の出力端子以外の他の出力端子の内の少なくとも１つの出力端子から入力端子へ電流通過可能に構成したので，
複数のアンテナにおいて受信した，異なる周波数帯の信号を，一本のケーブルで引き込むような場合に適した増幅器であって，長い引き込み線を有する受信システムや，複数の端末においてテレビを見るためにテレビ信号を多数に分配するような場合に，超広帯域に亘る周波数帯のテレビ信号を伝送することによって生じる伝送損失や，レベル差の発生を補償するためのレベル補償用の増幅器として使用できるし，テレビを１つの端末から楽しむような簡単なシステムにおいては，１つの選択手段を操作するだけの簡単な操作で，余分な機材を必要とせずに分波出力で出力可能な増幅器としても使用できると共に，所定の出力端子から入力側に電流通過することができ，端末側からこの増幅器を介して，例えばアンテナ側に取り付けられたコンバーター等に電源供給可能なテレビ受信用増幅器を提供できる。
【００１８】
請求項４，５，６の発明によれば，例えば地上放送と衛星放送を受信する場合のように，複数のアンテナにおいて受信した，異なる周波数帯の信号の混合信号を，一本のケーブルで引き込むような場合に適した増幅器であって，長い引き込み線を有する受信システムや，複数の端末においてテレビを見るためにテレビ信号を多数に分配するような場合に，１つの選択手段を操作するだけの簡単な操作で，超広帯域に亘る周波数帯の混合信号を伝送することによって生じる伝送損失や，レベル差の発生を補償するためのレベル補償用の増幅器として使用できるし，テレビを１つの端末から楽しむような簡単なシステムにおいては，余分な機材を必要とせずに簡単にシステムが構築できる分波器を内蔵した増幅器としても使用できると共に，所定の出力端子から入力側に電流通過することができ，端末側に設置した衛星チューナーから，この増幅器を介して，例えばアンテナ側に取り付けられたコンバーター等に電源供給可能な，受信システムの構築の容易なテレビ受信用増幅器を提供できる。
【００１９】
請求項７の発明によれば，請求項２乃至請求項６に記載のテレビ受信用増幅器において，前記電源重畳手段と前記電源分離手段との間に切替手段を備え，端末側から供給される直流電源を，入力端子から出力するか出力しないかを選択的に切換可能にしたので，
アンテナ側のコンバーター等の機器に供給する電源を供給する電源装置を，アンテナと増幅器との間に介設することもでき，受信システムの構築の汎用性の高いテレビ受信用増幅器を提供することができる。
【００２０】
請求項８の発明によれば，請求項２乃至請求項７に記載のテレビ受信用増幅器において，前記電源分離回路と前記選択手段との接続点から，前記増幅手段へ直流電源を供給するように構成し，端末側から供給される直流電源で動作するように構成したので，
端末側から増幅器の電源供給が可能となるので，設置工事の簡単なテレビ受信用増幅器を提供できる。
【００２１】
請求項９の発明によれば，請求項１乃至請求項７に記載のテレビ受信用増幅器ＡＣプラグと，該ＡＣプラグを介して供給される商用電源から直流電源を生成する直流電源生成手段と，を備え，
少なくとも，前記増幅手段は前記直流電源生成手段において生成された直流電源で動作するように構成したので，
商用電源から増幅器の動作電源を生成することから，収納ボックスなどに簡単に取り付けられるテレビ受信用増幅器を提供できるのである。
【００２２】
請求項1０の発明によれば，請求項１に記載のテレビ受信用増幅装置において，ＡＣプラグと，該ＡＣプラグを介して供給される商用電源から直流電源を生成する直流電源生成手段と，入力端子と増幅手段との間に設けられ，前記直流電源生成手段において生成された直流電源を通過し，前記混合信号を阻止するチークコイルと，前記混合信号を通過し，前記直流電源を阻止するコンデンサーとから成る電源重畳手段と，を備え，
前記直流電源生成手段は，少なくとも，前記増幅手段と，前記電源重畳手段を介して入力端子から該入力端子に接続された同軸ケーブルに，直流電源を供給するように構成したので，
商用電源から増幅器の動作電源を生成することから，電流通過回路の構成が簡単に成り，安価なテレビ受信用増幅器を提供できる。
【００２３】
請求項１１の発明によれば，請求項１０に記載のテレビ受信用増幅器は，前記直流電源生成手段と前記電源重畳手段との間に切替手段を備え，前記直流電源を入力端子から出力するか出力しないかを選択的に切換可能にしたので，
例えば地上放送だけを受信しているシステムで有っても，スイッチ操作１つで出力端子に接続した端末側から入力端子に接続したアンテナ側に電流通過が可能となるので，簡単に衛星アンテナを追加でき，システムの拡充が容易に可能なテレビ受信用増幅器を提供できる。
【発明を実施するための最良の形態】
【００２４】
以下に，本発明を具体化した実施形態の例を，図面を基に詳細に説明する。
図１は本発明に係る増幅器の第１の実施形態を示すブロック図である。図２（ａ）は混合信号の周波数配列を示し，（ｂ）は分波器の周波数特性を示す一例である。図３，図４，図５，図６，図７，図８は本発明に係る他の増幅器の実施例を示すブロック図である。図９，１０，１１は第２の実施形態を示すブロック図である。図１２，１３は本願のテレビ受信用増幅器を用いた受信システムを示す。
【実施例１】
【００２５】
図１及び図２を用いて本願に係るテレビ受信用増幅器１について説明する。２は入力端子であり，図示されないアンテナで受信した，一本の同軸ケーブルで引き込まれる，異なる周波数の信号の混合信号であるテレビ信号を入力するための接続端子である。この入力端子２は例えばコンデンサーとコイルから成る，前記混合信号を通過帯域とするフィルタ手段１１と接続されている。
次にこのフィルタ手段１１の出力側には増幅手段１３が接続されている。この増幅手段１３は増幅素子としてのトランジスタやＩＣ等から成る高周波増幅回路であり，前記フィルタ手段１１を通過した混合信号を所定レベルまで増幅するためのものである。
１４は例えばコンデンサーとコイルとからなるフィルタ手段１４であり，前記増幅手段１３において所定レベルまで増幅されたテレビ信号を選択的に通過させるものである。このフィルタ手段１４には選択手段１５を介して出力端子４が接続されている。
【００２６】
本願の実施例における選択手段１５は，接触子１５ａ，１５ｂ，１５ｃと，１５ｄ，１５ｅ，１５ｆを有した例えば切替スイッチから成り，接触子１５ａ，１５ｂ，通過線路１６，接触子１５ｅ，１５ｄ，からなる第１の伝送経路と，接触子１５ａ，１５ｃ，分配手段１８における入力部１８ａと所定の周波数帯域を出力する出力部１８ｂの経路，接触子１５ｅ，１５ｆからなる第２の伝送経路とを選択的に切換可能と成るように接続されている。
更に，分波手段１８における入力部１８ａと他の出力部１８ｃから成る経路には接続端子５が接続されて本発明の実施例におけるテレビ受信用増幅器１を構成している。尚，本発明の実施例では分波出力を２つ有する構成例で示したが特に限定されるものではない。
【００２７】
即ち，本発明のテレビ受信用増幅器１では，例えば混合信号が，第１の周波数帯の信号と，この第１の周波数帯の信号より高い周波数帯である第２の周波数帯とから成るような場合に有効であるように，通過手段１６は，例えばプリント配線板を構成する誘電体上に備えられた導体で高周波伝送線路を形成したものであり，第１の周波数帯の信号と，この第１の周波数帯の信号より高い周波数帯である第２の周波数帯との広帯域に亘って特性のよい伝送路が形成されていると共に，分波手段１８は，第１の周波数帯の信号と，第２の周波数帯の信号とを相互に影響がなく分波できるように，コンデンサーやコイルから成るフィルタ回路で構成されることによって，第１の周波数帯の信号と第２の周波数帯の信号を混合出力として１つの出力端子から出力するか，第１の周波数帯の信号と第２の周波数帯の信号を分波出力として別々の出力端子から出力するかを切替可能に構成されているのである
【００２８】
尚，図１では，選択手段１５において，第１の伝送経路１６（所謂，混合出力。以下混合出力と記載する。）を選択したときは，出力端子４から混合信号を出力し，第２の伝送経路（所謂，分波出力。以下分波出力と記載する。）を選択したときは，出力端子４から第１の周波数帯を出力し，出力端子５からは第２の周波数帯を出力するように分波器を配設したが，分波出力を選択したときに，出力端子４は第２の周波数帯を，出力端子５は第１の周波数帯を出力するように分波器を配設してもよい。
【００２９】
次に，図３，４，５を用いて本発明のテレビ受信用増幅装置１の異なる実施例について説明する。この実施例は前記実施例に対して出力端子と入力端子との間を電流通過可能に構成したものであり，前記実施例と同様な構成をなすものには同じ符号を付与し詳細な説明は省略する。
入力端子２とフィルタ手段１１との間には，前記混合信号を通過し，直流電源を阻止するコンデンサー２１ａと，入力端子２と該コンデンサー２１ａとの相互接続点に接続されて，直流電源を通過し前記混合信号を阻止するチョークコイル２２ａとから成る電源重畳手段２０ａが備えられると共に，フィルタ手段１４と選択手段１５との間には，増幅手段１３において所定レベル増幅された混合信号を通過し，直流電源を阻止するコンデンサー２１ｂと，該コンデンサー２１ｂと選択手段１５との相互接続点に接続されて，直流電源を通過し前記混合信号を阻止するチョークコイル２２ｂとから成る電源分離手段２０ｂとを備えており，この電源分離手段２０ｂと前記電源重畳手段２０ａとで電源通過回路１０を構成している。  
【００３０】
更に，前記通過回路１６と，分波手段１８における入力部１８ａと所定の周波数帯を出力する出力部１８ｂとの信号経路を，電流通過型に形成することによって，前記電流通過回路１０と前記選択手段１５を介して出力端子４から入力端子２に電流通過可能に構成されている。
尚，図３（ａ），（ｂ）の実施例に示すように，選択手段１５が混合出力を選択しても分波出力を選択しても，出力端子４には前記第２の周波数帯の信号が出力されるように構成されているので，選択手段１５の切替操作にかかわらず出力端子４から入力端子２へ電流通過可能に構成されている。
また，この実施例では出力端子４は常に電流通過端子として使用することから，前記電源分離手段２０ｂを増幅手段１３と選択手段１５との間に介設する変わりに，前記選択手段１５の出力側と出力端子４との間に介設してもよく，この場合は，選択手段１５に電流を通過させることがなく，高周波信号だけを通過させれば良いので，選択手段１５は安価な部品を使用することができる。このブロック図を図４に示す。
図５は前記第２の周波数帯の信号が，混合出力の場合は出力端子４から，分波出力の場合は出力端子５から出力されるように構成されているので，選択手段１５の選択操作と連動して，出力端子４ら入力端子２へ電流通過するか，若しくは，出力端子５から入力端子２へ電流通過するように形成されている。
【００３１】
即ち，本発明の実施例における電流通過回路１０は，図示されていない端末側におかれた，例えば衛星チューナー，専用電源部等から同軸ケーブルを介して供給される直流電源を，アンテナに備えさせた例えば周波数変換部（コンバーター）等に供給するために利用されるものであって，このため第２の周波数帯の信号を出力する端子（言い換えれば，前記衛星チューナや専用電源部を接続する端子）から電源供給できるようにするものである。
尚，図６は電流通過回路１０にスイッチ手段２５を設け，電流通過をＯＮ／ＯＦＦできるように構成し，より汎用性を持たせた実施例を示すものである。
【００３２】
次に図７に示す実施例について説明する。この実施例では前述の電流通過回路に加えて，端末側から供給される直流電源で，増幅手段１３を動作させるように構成したものであり，前記電源分離手段２０ｂにおける，コンデンサー２１ｂとチョークコイル２２ｂ，選択手段１５の入力側の接触子１５ｂとの相互接続点から電源供給を受けるように構成したものである。
【００３３】
次に図８に示す実施例について説明する。この実施例は図７の実施例と異なり，前述の電流通過回路に加えて，増幅手段１３の電源として，テレビ受信用増幅器に備えさせたＡＣプラグ３０を介して外部の商用電源を取り入れ，該商用電源から３１に示す直流電源生成手段において直流電源を生成し，この直流電源によって増幅手段１３を動作させるように構成したものである。
【実施例２】
【００３４】
次に本発明の第２の実施形態として図９，１０を参照して説明する。尚，以下の説明では，上記第１の実施形態のテレビ受信用増幅器と同様の構成要素については同一符号を付与し，詳細な説明は省略する。                            
【００３５】
この実施例では，増幅手段１３の電源として，テレビ受信用増幅器に備えさせたＡＣプラグ３０を介して外部の商用電源を取り入れ，該商用電源から３１に示す直流電源生成手段において直流電源を生成し，この直流電源によって増幅手段１３を動作させるように構成すると共に，前記直流電源生成手段３１によって生成される直流電源を入力端子２から出力できるように構成したものである。
入力端子２とフィルタ手段１１の間には，前記混合信号を通過し直流電源を阻止するコンデンサー２１ｃと，入力端子２と該コンデンサー２１ｃとの相互接続点に接続されて，直流電源を通過し前記混合信号を阻止するチョークコイル２２ｃとから成る電源重畳手段２０ｃが備えられている。これによって，電源生成手段３１から出力された直流電源は，チョークコイル２２ｃを介して入力端子２から送出されるのである。
尚，図１０に示すようにチョークコイル２２ｃと電源生成手段３１との間にスイッチ手段２６を設け，電源供給をＯＮ／ＯＦＦ切替ができるように構成してもよい。
【００３６】
本発明においては実施例１と実施例２を示したが，図６に示す電流通過回路１０にスイッチ手段２５を設け，電流通過をＯＮ／ＯＦＦできるように構成した実施例と，図１０に示すようにチョークコイル２２ｃと電源生成手段３１との間にスイッチ手段２６を設け，電源供給をＯＮ／ＯＦＦ切替ができるように構成した実施例とを組み合わせ，図１１に示す回路を構成してもよい。この場合は，例えばＣＳを受信する場合に，電圧のロー（１１Ｖ）・ハイ（１５Ｖ）で受信する偏波を切り替えるようなシステムでは，スイッチ手段２５を操作して端子側に置かれた衛星チューナーからロー・ハイに対応した直流電源を供給し，この直流電源を出力端子から入力端子に電流通過させ，スイッチ手段２６はＯＦＦとしておく。また，ＢＳ受信の場合のように直流定電圧を供給すればよい場合は，スイッチ手段２５をＯＦＦとし，スイッチ手段２６をＯＮとすることによって，増幅器１から電源供給できるように，電源供給の経路を切替可能にしてもよい。
【００３７】
ここで本発明のテレビ受信用増幅装置を用いた受信システムについて図１２，１３と図２を用いて説明する。
本願の受信システムはＶＨＦアンテナ５１とＵＨＦアンテナ５２とＢＳ・１１０°ＣＳアンテナ５３（衛星コンバーター５３ａ）とで受信した信号を，それぞれＶＨＦ・ＵＨＦ混合器５５と，ＶＵ・ＣＳ混合器５６で混合して一本の同軸ケーブル引き込むように構成されている。
ここで図２を用いて前記混合信号の構成例を示す。この実施例では前記混合信号は地上放送であるＶＨＦ帯とＵＨＦ帯のテレビ信号と，衛星放送であるＢＳ及び１１０°ＣＳ放送の中間周波周波数帯（右旋偏波ＣＳ−Ｒ及び左旋偏波ＣＳ−Ｌ。以下ＣＳ−Ｒ，ＣＳ−Ｌと記載する。）の信号である。
従ってテレビ受信用増幅器１に備えられた分波手段１８は，ＶＨＦ帯とＵＨＦ帯のテレビ信号からなる前記第１の周波数帯の信号と，ＢＳ，ＣＳ−Ｒ，ＣＳ−Ｌの中間周波帯の信号からなる前記第２の周波数帯の信号とに分波されるように構成されており，本発明のテレビ受信用増幅器１では，前記選択手段１５によって，増幅手段１３において所定レベルまで増幅された混合信号を出力端子４から出力するか，増幅手段において所定レベルまで増幅された混合信号を，ＶＨＦ帯及びＵＨＦ帯から成る第１の周波数帯（９０〜７７０ＭＨｚ）と，ＢＳ，ＣＳ−Ｒ，ＣＳ−Ｌ（１０３２〜２６０２ＭＨｚ）から成る第２の周波数帯とに分波して，それぞれ出力端子４と出力端子５から出力するかを選択的に切替可能に構成されているのである。
【００３８】
図１２はテレビ受信用増幅器１を混合出力として使用するときの受信システムを示す。
アンテナから宅内に引き込まれる同軸ケーブルが長い場合や，複数の部屋でテレビを見るために，分配器を用いてテレビ信号を分配する必要がある場合において，上述の混合信号に示す例のような，例えばＶＨＦの９０ＭＨｚからＣＳ−Ｌの２６００ＭＨｚ帯までに亘る広帯域な信号を伝送する場合，高域側の伝送損失が大きくなり，端末側におけるレベルが低くなったり，低域側のレベルと高域側のレベル差が大きくなったりする。このような場合においては，混合信号に対してレベル補償するための増幅器が必要となるのであるが，本発明のテレビ受信用増幅器１では，選択手段１５によって増幅器の出力が混合出力となるように切り換えれば，簡単にレベル補償用のプリアンプとして動作させることができる。
増幅器１から出力された混合信号は分配器６０によって所定数に分配され，それぞれ分波器によって分波されて，それぞれ地上・ＢＳ・１１０°ＣＳチューナー６３及びテレビ受信機６５に入力される。
【００３９】
図１３はテレビ受信用増幅器１を分波出力として使用するときの受信システムを示す。
この受信システムは，アンテナから一本の同軸ケーブルで引き込まれた混合信号を使って，地上放送と衛星放送を一端子で見るようなシステムに最適であり，この場合は，予め分波手段が１８が内蔵させてあるので，増幅器から出力された信号は，それぞれ地上・ＢＳ・１１０°ＣＳチューナー６３のそれぞれの専用端子から入力するだけで良いので，簡単且つ安価に受信システムが構築できるのである。
尚，本発明は上記実施の形態に限定されるものではなく，本発明の趣旨を逸脱しない範囲で各部の構成を適宜に変更して実施することも可能である。
【図面の簡単な説明】
【００４０】
【図１】本発明に係る増幅器の第１の実施形態を示すブロック図である。
【図２】（ａ）は混合信号の周波数配列を示し，（ｂ）は分波器の周波数特性を示す一例である。
【図３】本発明に係る他の増幅器の実施例を示すブロック図である。
【図４】本発明に係る他の増幅器の実施例を示すブロック図である。
【図５】本発明に係る他の増幅器の実施例を示すブロック図である。
【図６】本発明に係る他の増幅器の実施例を示すブロック図である。
【図７】本発明に係る他の増幅器の実施例を示すブロック図である。
【図８】本発明に係る他の増幅器の実施例を示すブロック図である。
【図９】第２の実施形態を示すブロック図である。
【図１０】第２の実施形態の他の実施例を示すブロック図である。
【図１１】第２の実施形態の他の実施例を示すブロック図である。
【図１２】本願のテレビ受信用増幅器を用いた受信システムを示す。
【図１３】本願のテレビ受信用増幅器を用いた受信システムを示す。
【符号の説明】
【００４１】
１…テレビ受信用増幅器，２…入力端子，４…出力端子，５…出力端子，１０…電流通過回路，１１…フィルタ手段，１３…増幅手段，１４…フィルタ手段，１５…選択手段，１５ａ〜１５ｆ…接触子，１６…通過回路，１８…分波手段，１８ａ…入力部，１８ｂ・１８ｃ…出力部，１９…，２０ａ…電源重畳手段，２０ｂ…電源分離手段，２１…コンデンサー，２２…チョークコイル，２３・２４…バイパスコンデンサー，２５…スイッチ手段，２６…スイッチ手段，３０…ＡＣプラグ，３１…電源電圧生成手段，５１…ＶＨＦアンテナ，５３…ＵＨＦアンテナ，５３…衛星アンテナ，５３ａ…衛星コンバーター，５５・５６…混合器，６０…分配器，６１・６２…分波器，６３…チューナー，６５…テレビ受信機， 
【図１】
2006253833.tif 000003
【図２】
2006253833.tif 000004
【図３】
2006253833.tif 000005
【図４】
2006253833.tif 000006
【図５】
2006253833.tif 000007
【図６】
2006253833.tif 000008
【図７】
2006253833.tif 000009
【図８】
2006253833.tif 000010
【図９】
2006253833.tif 000011
【図１０】
2006253833.tif 000012
【図１１】
2006253833.tif 000013
【図１２】
2006253833.tif 000014
【図１３】
2006253833.tif 000015